【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
複数のオーディオ信号を表す符号化データ信号を受信する受信器であって、前記符号化データ信号は前記複数のオーディオ信号に関する符号化時間周波数タイルを有し、これら符号化時間周波数タイルは非ダウンミックス時間周波数タイル及びダウンミックス時間周波数タイルを有し、各ダウンミックス時間周波数タイルは前記複数のオーディオ信号の少なくとも２つの時間周波数タイルのダウンミックスであり、各非ダウンミックス時間周波数タイルは前記複数のオーディオ信号の１つのみの時間周波数タイルを表し、前記符号化時間周波数タイルのダウンミックス時間周波数タイル又は非ダウンミックス時間周波数タイルとしての割り当ては、時間周波数タイルの空間的特徴を反映し、前記符号化データ信号は前記複数のオーディオ信号の時間周波数タイルに関するダウンミックス指示情報を更に有し、該ダウンミックス指示情報が、前記複数のオーディオ信号の時間周波数タイルがダウンミックス時間周波数タイルとして符号化されるか又は非ダウンミックス時間周波数タイルとして符号化されるかを示す受信器と、
前記符号化時間周波数タイルから一群の出力信号を発生する発生器であって、該出力信号の発生が、前記ダウンミックス指示情報によりダウンミックス時間周波数タイルであると示された符号化時間周波数タイルに対するアップミックス処理を有する発生器と、
を有し、
前記複数のオーディオ信号のうちの少なくとも１つのオーディオ信号が、前記複数のオーディオ信号のうちの異なる組のオーディオ信号のダウンミックスである２つのダウンミックス時間周波数タイルにより表され、
少なくとも１つのダウンミックス時間周波数タイルが、音源レンダリング構成の公称音源位置に関連付けられていないオーディオオブジェクトと音源レンダリング構成の公称音源位置に関連付けられたオーディオチャンネルとのダウンミックスである、デコーダ。
【請求項２】
前記符号化データ信号がパラメータアップミックスデータを更に有し、前記発生器が該パラメータアップミックスデータに応じて前記アップミックス処理を適応化する、請求項１に記載のデコーダ。
【請求項３】
前記発生器が、前記複数のオーディオ信号に関する時間周波数タイルを、空間音源構成に対応する出力信号にマッピングするレンダリングユニットを有する、請求項１に記載のデコーダ。
【請求項４】
前記発生器は前記符号化時間周波数タイルに対してマトリクス演算を適用することにより前記一群の出力信号のための時間周波数タイルを発生し、該マトリクス演算の係数は、前記符号化時間周波数タイルが非ダウンミックス時間周波数タイルであることを前記ダウンミックス指示情報が示す符号化時間周波数タイルに対してではなく、前記符号化時間周波数タイルがダウンミックス時間周波数タイルであることを前記ダウンミックス指示情報が示す符号化時間周波数タイルに対してアップミックス成分を含む、請求項１に記載のデコーダ。
【請求項５】
少なくとも１つのオーディオ信号が、復号された信号において、少なくとも１つの非ダウンミックス時間周波数タイル及び少なくとも１つのダウンミックス時間周波数タイルにより表される、請求項１に記載のデコーダ。
【請求項６】
少なくとも１つのダウンミックス時間周波数タイルに関する前記ダウンミックス指示情報が、前記複数のオーディオ信号の時間周波数タイルと符号化されたダウンミックス時間周波数タイルとの間のリンクを有する、請求項１に記載のデコーダ。
【請求項７】
前記複数のオーディオ信号のうちの少なくとも１つのオーディオ信号が、非ダウンミックス時間周波数タイル又はダウンミックス時間周波数タイルでない少なくとも１つの符号化時間周波数タイルを含む符号化時間周波数タイルにより表される、請求項１に記載のデコーダ。
【請求項８】
前記非ダウンミックス時間周波数タイルの少なくとも幾つかが波形符号化される、請求項１に記載のデコーダ。
【請求項９】
前記ダウンミックス時間周波数タイルの少なくとも幾つかが波形符号化される、請求項１に記載のデコーダ。
【請求項１０】
前記発生器は前記ダウンミックス時間周波数タイルをアップミックスして、ダウンミックス時間周波数タイルの前記複数のオーディオ信号の少なくとも１つに関するアップミックスされた時間周波数タイルを発生し、前記発生器は前記一群の出力信号のための時間周波数タイルを、前記符号化時間周波数タイルがダウンミックス時間周波数タイルであることを前記ダウンミックス指示情報が示すタイルに関する前記アップミックスされた時間周波数タイルを用いて発生する、請求項１に記載のデコーダ。
【請求項１１】
複数のオーディオ信号を表す符号化データ信号を受信するステップであって、前記符号化データ信号は前記複数のオーディオ信号に関する符号化時間周波数タイルを有し、これら符号化時間周波数タイルは非ダウンミックス時間周波数タイル及びダウンミックス時間周波数タイルを有し、各ダウンミックス時間周波数タイルは前記複数のオーディオ信号の少なくとも２つの時間周波数タイルのダウンミックスであり、各非ダウンミックス時間周波数タイルは前記複数のオーディオ信号の１つのみの時間周波数タイルを表し、前記符号化時間周波数タイルのダウンミックス時間周波数タイル又は非ダウンミックス時間周波数タイルとしての割り当ては、時間周波数タイルの空間的特徴を反映し、前記符号化データ信号は前記複数のオーディオ信号の時間周波数タイルに関するダウンミックス指示情報を更に有し、該ダウンミックス指示情報が、前記複数のオーディオ信号の時間周波数タイルがダウンミックス時間周波数タイルとして符号化されるか又は非ダウンミックス時間周波数タイルとして符号化されるかを示すステップと、
前記符号化時間周波数タイルから一群の出力信号を発生するステップであって、該出力信号の発生が、前記ダウンミックス指示情報によりダウンミックス時間周波数タイルであると示された符号化時間周波数タイルに対するアップミックス処理を有するステップと、
を有し、前記複数のオーディオ信号のうちの少なくとも１つのオーディオ信号が、前記複数のオーディオ信号のうちの異なる組のオーディオ信号のダウンミックスである２つのダウンミックス時間周波数タイルにより表され、少なくとも１つのダウンミックス時間周波数タイルが、音源レンダリング構成の公称音源位置に関連付けられていないオーディオオブジェクトと音源レンダリング構成の公称音源位置に関連付けられたオーディオチャンネルとのダウンミックスである、復号する方法。
【請求項１２】
各々が複数の時間周波数タイルを有する複数のオーディオ信号を入力する入力部と、
前記複数の時間周波数タイルのうちのダウンミックスされるべき第１部分群を選択する選択器と、
前記第１部分群の時間周波数タイルをダウンミックスして、ダウンミックス時間周波数タイルを発生するダウンミキサと、
前記ダウンミックス時間周波数タイルを符号化することにより符号化ダウンミックス時間周波数タイルを発生する第１エンコーダと、
前記オーディオ信号の時間周波数タイルの第２部分群を該第２部分群の時間周波数タイルをダウンミックスせずに符号化することにより符号化非ダウンミックス時間周波数タイルを発生する第２エンコーダと、
前記第１部分群及び前記第２部分群の時間周波数タイルがダウンミックス時間周波数タイルとして符号化されるか又は非ダウンミックス時間周波数タイルとして符号化されるかを示すダウンミックス指示情報を発生するユニットと、
前記複数のオーディオ信号を表す符号化オーディオ信号を発生する出力部であって、該符号化オーディオ信号が前記符号化非ダウンミックス時間周波数タイル、前記符号化ダウンミックス時間周波数タイル及び前記ダウンミックス指示情報を有する出力部と、
を有し、
前記選択器が、前記第１部分群の時間周波数タイルを該時間周波数タイルの空間的特徴に応じて選択し、前記複数のオーディオ信号のうちの少なくとも１つのオーディオ信号が、前記複数のオーディオ信号のうちの異なる組のオーディオ信号のダウンミックスである２つのダウンミックス時間周波数タイルにより表され、少なくとも１つのダウンミックス時間周波数タイルが、音源レンダリング構成の公称音源位置に関連付けられていないオーディオオブジェクトと音源レンダリング構成の公称音源位置に関連付けられたオーディオチャンネルとのダウンミックスである、エンコーダ。
【請求項１３】
前記選択器が、前記第１部分群の時間周波数タイルを前記符号化オーディオ信号に対する目標データレートに応じて選択する、請求項１２に記載のエンコーダ。
【請求項１４】
前記選択器が、前記第１部分群の時間周波数タイルを：
前記時間周波数タイルのエネルギ；及び
前記時間周波数タイルの対の間のコヒーレンス特性、
のうちの少なくとも１つに応じて選択する、請求項１２に記載のエンコーダ。
【請求項１５】
各々が複数の時間周波数タイルを有する複数のオーディオ信号を入力するステップと、
前記複数の時間周波数タイルのうちのダウンミックスされるべき第１部分群を選択するステップと、
前記第１部分群の時間周波数タイルをダウンミックスして、ダウンミックス時間周波数タイルを発生するステップと、
前記ダウンミックス時間周波数タイルを符号化することにより符号化ダウンミックス時間周波数タイルを発生するステップと、
前記オーディオ信号の時間周波数タイルの第２部分群を該第２部分群の時間周波数タイルをダウンミックスせずに符号化することにより符号化非ダウンミックス時間周波数タイルを発生するステップと、
前記第１部分群及び前記第２部分群の時間周波数タイルがダウンミックス時間周波数タイルとして符号化されるか又は非ダウンミックス時間周波数タイルとして符号化されるかを示すダウンミックス指示情報を発生するステップと、
前記複数のオーディオ信号を表す符号化オーディオ信号を発生するステップであって、該符号化オーディオ信号が前記符号化非ダウンミックス時間周波数タイル、前記符号化ダウンミックス時間周波数タイル及び前記ダウンミックス指示情報を有するステップと、
を有し、
前記選択するステップが、前記第１部分群の時間周波数タイルを該時間周波数タイルの空間的特徴に応じて選択するステップを含み、前記複数のオーディオ信号のうちの少なくとも１つのオーディオ信号が、前記複数のオーディオ信号のうちの異なる組のオーディオ信号のダウンミックスである２つのダウンミックス時間周波数タイルにより表され、少なくとも１つのダウンミックス時間周波数タイルが、音源レンダリング構成の公称音源位置に関連付けられていないオーディオオブジェクトと音源レンダリング構成の公称音源位置に関連付けられたオーディオチャンネルとのダウンミックスである、符号化する方法。
【請求項１６】
請求項１２に記載のエンコーダ及び請求項１に記載のデコーダを有する、符号化・復号システム。
【請求項１７】
コンピュータ上で実行された場合に、請求項１１又は請求項１５に記載の方法における全てのステップを実行するコンピュータプログラムコード手段を有する、コンピュータプログラム。